(57)【特許請求の範囲】
【請求項１】
紙基材層を含む紙コップとして形成された容器と、前記容器に被せられる蓋部材とを備えた蓋付き容器であって、
前記容器は、ブランク材の両端を重ねて付着した筒状の容器胴部と、容器底部と、前記容器胴部の上端を外側に丸めた容器口部とを有し、
前記容器口部は、前記ブランク材の両端が重なった重複部と、前記重複部の側方に形成された段差部に隣接する段差隣接部とを有し、
前記蓋部材は、前記容器口部に着脱自在に外嵌する蓋嵌合部を有し、
前記蓋嵌合部は、前記容器口部の口部内周面に対向して配置される内側対向部と、前記容器口部の口部外周面に対向して配置される外側対向部とを有し、
前記外側対向部は、前記口部外周面の下部に対向して配置され、上方から下方に向けて縮径するアンダーカット部を有し、
前記内側対向部の最内周部分の外径は、前記口部内周面の内径よりも０〜０．８ｍｍ大きく設定され、
前記外側対向部の最外周部分の内径は、前記口部外周面の外径よりも０．４〜２．０ｍｍ小さく設定され、
前記蓋嵌合部は、前記容器口部に嵌合した状態で、前記容器口部に対して、前記アンダーカット部および前記内側対向部の少なくとも２箇所で接触することを特徴とする蓋付き容器。
【発明の詳細な説明】
【技術分野】
【０００１】
本発明は、飲料用等の蓋付き容器に関する。
【背景技術】
【０００２】
従来より、飲料用等の容器においては、所謂「ＬＩＤ（リッド）」と呼ばれる合成樹脂製の蓋部材を容器の開口部側に被せることが行われている（例えば特許文献１を参照）。
【０００３】
この蓋部材には、天板部の周縁から垂下する蓋環状周部が形成されており、容器の容器胴部の上端に形成された容器口部の外周に、蓋環状周部に形成された蓋嵌合部を外嵌させることにより、容器に内容液を入れた状態で、自動販売機や販売店等から容器を持ち運ぶ際に、容器外部に内容液が漏れ出ることを防止している。
【先行技術文献】
【特許文献】
【０００４】
【特許文献１】特開２０１２−２３２７９２号公報
【発明の概要】
【発明が解決しようとする課題】
【０００５】
ところが、蓋嵌合部の形状は、容器口部の形状に合わせて形成されているものの、容器に蓋部材を嵌合させた状態で、容器口部の外面と蓋嵌合部の内面との間には僅かな隙間が生じており、蓋付き容器を大きく傾けた場合には、前記隙間が内容液の漏出経路となり、容器外部に内容液が漏れ出てしまう。
【０００６】
しかしながら、このような内容液の漏出は、蓋付き容器を大きく傾斜させた場合にのみ生じるものであることから、従来は甘受されてきたが、近年、コンビニエンスストア等においてコーヒー等を蓋付き容器に入れて販売することが普及してきたことから、蓋付き容器の需要が高まってきており、この需要の高まりに応じて、内容液の漏出防止に対する要求水準も高まってきている。また、同時に、このような蓋付き容器では、低価格で販売されるコーヒー等に用いられるものであることから、低コスト化に対する要求も強い。
【０００７】
そこで、本発明は、これらの問題点を解決するものであり、簡素な構成、低コスト、および、容器口部に対する蓋嵌合部の着脱の容易性を維持しつつ、内容液の漏出を抑制する蓋付き容器を提供することを目的とするものである。
【課題を解決するための手段】
【０００８】
本発明は、紙基材層を含む紙コップとして形成された容器と、前記容器に被せられる蓋部材とを備えた蓋付き容器であって、前記容器は、ブランク材の両端を重ねて付着した筒状の容器胴部と、容器底部と、前記容器胴部の上端を外側に丸めた容器口部とを有し、前記容器口部は、前記ブランク材の両端が重なった重複部と、前記重複部の側方に形成された段差部に隣接する段差隣接部とを有し、前記蓋部材は、前記容器口部に着脱自在に外嵌する蓋嵌合部を有し、前記蓋嵌合部は、前記容器口部の口部内周面に対向して配置される内側対向部と、前記容器口部の口部外周面に対向して配置される外側対向部とを有し、前記外側対向部は、前記口部外周面の下部に対向して配置され、上方から下方に向けて縮径するアンダーカット部を有し、前記内側対向部の最内周部分の外径は、前記口部内周面の内径よりも０〜０．８ｍｍ大きく設定され、前記外側対向部の最外周部分の内径は、前記口部外周面の外径よりも０．４〜２．０ｍｍ小さく設定され、前記蓋嵌合部は、前記容器口部に嵌合した状態で、前記容器口部に対して、前記アンダーカット部および前記内側対向部の少なくとも２箇所で接触することにより、前記課題を解決するものである。
【発明の効果】
【０００９】
本請求項１に係る発明によれば、容器口部に着脱自在に嵌合する蓋嵌合部が、容器口部の口部内周面に対向して配置される内側対向部と、容器口部の口部外周面に対向して配置される外側対向部とを有し、外側対向部が、口部外周面の下部に対向して配置され、上方から下方に向けて縮径するアンダーカット部を有し、内側対向部の最内周部分の外径が、口部内周面の内径よりも０〜０．８ｍｍ大きく設定され、外側対向部の最外周部分の内径が、口部外周面の外径よりも０．４〜２．０ｍｍ小さく設定され、蓋嵌合部が、容器口部に嵌合した状態で、容器口部に対して、アンダーカット部および内側対向部の少なくとも２箇所で接触するように構成されている。
これにより、容器口部の重複部や、重複部および段差隣接部以外の容器口部の一般部において、蓋部材のアンダーカット部および内側対向部の少なくとも２箇所を容器口部に対して確実に接触させることが可能であるばかりでなく、容器口部の段差隣接部において容器口部の外面と蓋嵌合部の内面との間に生じがちな漏出経路（隙間）の大きさ（断面積）を小さく維持し、表面張力の作用によって内容液の漏出を阻止することが可能であるため、簡素な構成、低コスト、および、容器口部に対する蓋嵌合部の着脱の容易性を維持しつつ、内容液の漏出を抑制することができる。
【図面の簡単な説明】
【００１０】
【図１】本発明の一実施形態に係る蓋付き容器を示す正面図。
【図２】容器を示す正面図および部分拡大図。
【図３】容器を示す断面図および部分拡大図。
【図４】蓋部材を示す断面図および部分拡大図。
【図５】容器と蓋部材との嵌合状態を示す断面図および部分拡大図。
【図６】本発明の一実施形態に係る蓋付き容器の各部断面を示す説明図。
【図７】比較例に係る蓋付き容器の各部断面を示す説明図。
【図８】内容液の漏出防止効果を確認するために行った検査の検査条件および検査結果を示す説明図。
【発明を実施するための形態】
【００１１】
以下に、本発明の一実施形態に係る蓋付き容器１０について、図面に基づいて説明する。
【００１２】
まず、蓋付き容器１０は、紙基材層や樹脂フィルム層等を含むブランク材から成る紙コップとして構成され、図１に示すように、上端側が開口した容器２０と、容器２０の開口側に被せられる蓋部材６０とから構成されている。
【００１３】
容器２０は、図２や図３に示すように、ブランク材の両端を重ねて付着したサイドシーム部３１を有した筒状の容器胴部３０と、筒状の容器胴部３０の下端側に形成された容器底部４０とを有している。
【００１４】
容器胴部３０の上端には、図２や図３に示すように、容器胴部３０の上端を外側に丸めた容器口部５０が形成されている。容器口部５０は、図２に示すように、ブランク材の両端が重なった重複部５１と、容器胴部３０の胴部周方向において重複部５１の側方に形成された段差部５２と、胴部周方向において段差部５２に隣接する段差隣接部５３と、重複部５１、段差部５２、段差隣接部５３以外の部分である一般部５４とを有している。
【００１５】
ここで、段差隣接部５３の範囲は、容器２０に蓋部材６０を嵌合させた状態で、容器口部５０に段差部５２が形成されることに起因して、容器口部５０の外面と蓋嵌合部６３の内面との間に形成される漏出経路（隙間）を含む範囲であり、具体的には、容器口径：７９ｍｍの容器２０（段差部５２の寸法：約０．２８ｍｍ）の場合に、段差部５２から胴部周方向に約３ｍｍ〜７ｍｍの範囲（換言すると、段差部５２から胴部周方向に、容器口径に対して３．８％〜８．９％の範囲）である。
【００１６】
蓋部材６０は、所謂「ＬＩＤ（リッド）」と呼ばれる合成樹脂や紙などから成形された蓋として構成され、図１や図４に示すように、環状の外周縁を有した天板部６１と、天板部６１の外周縁から垂下する蓋環状周部６２とから構成されている。蓋環状周部６２には、容器口部５０の外面に着脱自在に外嵌する蓋嵌合部６３が形成されている。
【００１７】
蓋嵌合部６３は、図４や図５に示すように、内側対向部６４と、上部６６およびアンダーカット部６７を含む外側対向部６５とを有している。
内側対向部６４は、下方から上方に向けて拡径した形状を有し、口部内周面５５に対向して配置される。
外側対向部６５の上部６６は、上方から下方に向けて拡径した形状を有し、口部外周面５６の上部に対向して配置される。
外側対向部６５のアンダーカット部６７は、上方から下方に向けて縮径した形状を有し、口部外周面５６の下部に対向して配置される。
外側対向部６５の上部６６の上端は、内側対向部６４の上端に連続し、アンダーカット部６７の上端は、外側対向部６５の上部６６の下端に連続する。
【００１８】
また、蓋嵌合部６３の形状は、容器口部５０の形状に対応して形成されており、すなわち、容器口部５０に蓋嵌合部６３を嵌合させた状態で、口部内周面５５に内側対向部６４が沿い、口部外周面５６の上部に外側対向部６５の上部６６が沿い、口部外周面５６の下部にアンダーカット部６７が沿うように、蓋嵌合部６３および容器口部５０の形状が設定されている。
具体的には、内側対向部６４の断面形状（上下方向を含む平面で切った断面形状）の少なくとも一部分が、口部内周面５５の断面形状と同様の曲率（同一または相似の曲率）で形成され、外側対向部６５の上部６６の断面形状の少なくとも一部分が、口部外周面５６の上部の断面形状と同様の曲率で形成され、アンダーカット部６７の断面形状の少なくとも一部分が、口部外周面５６の下部の断面形状と同様の曲率で形成されている。
これにより、容器口部５０に蓋嵌合部６３を嵌合させた状態で、容器口部５０の外面と蓋嵌合部６３の内面との間に生じる隙間を小さく維持することができる。詳しくは、隙間の断面積のうち、最小断面積が１．００ｍｍ２以下、望ましくは０．７５ｍｍ２以下、更に望ましくは０．５０ｍｍ２以下であれば良い。これにより、内容物の漏出がさらに抑制される。
【００１９】
次に、容器口部５０および蓋嵌合部６３の各部の寸法関係について、図３および図４に基づいて以下に説明する。
【００２０】
まず、内側対向部６４の最内周部分の外径Ｄ１は、口部内周面５５（の最内周部分）の内径Ｄ２よりも、０〜０．８ｍｍ大きく設定されている。外径Ｄ１が内径Ｄ２よりも０．８ｍｍより大きく設定されていると、蓋嵌合部６３が容器口部５０に嵌まらず、蓋部材６０が容器２０から浮いてしまう。
また、外側対向部６５の最外周部分の内径Ｄ３は、口部外周面５６（の最外周部分）の外径Ｄ４よりも、０．４〜２．０ｍｍ小さく設定されている。
また上下方向を含む平面で切った場合の、外側対向部６５の周長Ｌ１は、口部外周面５６の周長Ｌ２の０．５〜１．５倍で設定されている。
ここで、上述した各寸法は、ブランク材の厚みを考慮しない設計寸法である。
そして、容器口部５０および蓋嵌合部６３の各部の寸法関係を上述したように設定することにより、蓋部材６０のアンダーカット部６７および内側対向部６４の少なくとも２箇所を容器口部５０に対して良好に接触させることが可能になる。
【００２１】
次に、蓋付き容器１０における内容液の漏出防止効果を確認するために行った検査結果について、以下に説明する。
【００２２】
＜検査条件＞
本検査では、検査液として８０℃のコーヒーを使用し、内容液２６０ｍｌの容器２０に対して１６０ｍｌの検査液を注入した後、検査液の液面を揺らし、蓋嵌合部６３の内面および容器口部５０の外面に検査液を触れさせ、その後、図８に示すように、段差隣接部５３を下方に向けた状態で蓋付き容器１０を約４５°傾け、液面が段差隣接部５３よりも上になった状態で固定し、３分間での漏れの有無を確認した。
【００２３】
＜検査対象＞
本検査では、図６に示す改良後の蓋付き容器１０と、図７に示す改良前の蓋付き容器１０の２種類の蓋付き容器１０を使用した。
図６に示す改良後の蓋付き容器１０は、内側対向部６４の外径Ｄ１が口部内周面５５の内径Ｄ２よりも０〜０．８ｍｍ大きく設定され、外側対向部６５の内径Ｄ３が口部外周面５６の外径Ｄ４よりも０．４〜２．０ｍｍ小さく設定され、外側対向部６５の周長Ｌ１が口部外周面５６の周長Ｌ２の０．８〜１．５倍で設定されている。
図７に示す改良前の蓋付き容器１０は、内側対向部６４の外径Ｄ１と口部内周面５５の内径Ｄ２との差が０ｍｍ未満に設定され、外側対向部６５の内径Ｄ３が口部外周面５６の外径Ｄ４よりも０〜０．４ｍｍ未満小さく設定され、外側対向部６５の周長Ｌ１が口部外周面５６の周長Ｌ２の０．８倍未満で設定されている。
【００２４】
＜検査結果＞
上記の検査の結果については、図８に示す通りである。漏れの発生確率については、若干の改善が見られた。これに対して、漏れ発生までの時間については、時間が約１０倍延長される等、大きな改善が確認された。
【００２５】
以上、本発明の実施形態を詳述したが、本発明は上記実施形態に限定されるものではなく、特許請求の範囲に記載された本発明を逸脱することなく種々の設計変更を行なうことが可能である。
例えば、上述した実施形態では、容器口部の断面形状が略楕円形のものとして説明したが、容器口部の断面形状は、蓋嵌合部を良好に嵌合させることが可能なものであれば如何なるものでもよく、例えば、略円形のものや、略角形のものであってもよい。
また、上述した実施形態では、蓋嵌合部の内側対向部が、口部内周面の上部のみに対向するように形成されているが、内側対向部を口部内周面の下部に対向する位置まで形成してもよい。
また、段差隣接部において、容器口部の外面と蓋嵌合部の内面との間に生じる漏出経路（隙間）内に入り込んだ内容液を、表面張力の作用によって容器内側に後退させる力を発生させるために、段差隣接部の外面や蓋嵌合部の内面に、表面上に接した水との接触角が９０°より大きくなる撥水性を付与してもよい。
【符号の説明】
【００２６】
１０  ・・・  蓋付き容器
２０  ・・・  容器
３０  ・・・  容器胴部
３１  ・・・  サイドシーム部
４０  ・・・  容器底部
５０  ・・・  容器口部
５１  ・・・  重複部
５２  ・・・  段差部
５３  ・・・  段差隣接部
５４  ・・・  一般部
５５  ・・・  口部内周面
５６  ・・・  口部外周面
６０  ・・・  蓋部材
６１  ・・・  天板部
６２  ・・・  蓋環状周部
６３  ・・・  蓋嵌合部
６４  ・・・  内側対向部
６５  ・・・  外側対向部
６６  ・・・  上部
６７  ・・・  アンダーカット部
Ｄ１  ・・・  内側対向部の外径
Ｄ２  ・・・  口部内周面の内径
Ｄ３  ・・・  外側対向部の内径
Ｄ４  ・・・  口部外周面の外径
Ｌ１  ・・・  外側対向部の周長
Ｌ２  ・・・  口部外周面の周長
【図１】
0006454186.tif 000002
【図２】
0006454186.tif 000003
【図３】
0006454186.tif 000004
【図４】
0006454186.tif 000005
【図５】
0006454186.tif 000006
【図６】
0006454186.tif 000007
【図７】
0006454186.tif 000008
【図８】
0006454186.tif 000009